【手続補正書】
【提出日】平成22年4月14日(2010.4.14)
【手続補正１】
【補正対象書類名】特許請求の範囲
【補正対象項目名】全文
【補正方法】変更
【補正の内容】
【特許請求の範囲】
【請求項１】
モバイル通信デバイスの位置を推定することに関する方法は、
近似の位置を伴う測位フィルターをシードすること；および
複数の参照基地局についての第１の部分からの第１の測量の出来事の間に取得された第１の測量セットを用いて前記測位フィルターを更新すること、
前記第１の部分は３機未満の異なる参照基地局を含み；
参照基地についての第２の部分からの第２の測量の出来事の間に取得された第２の測量セットを用いて前記測位フィルターを更新すること；および
前記更新された測位フィルターに基づいて前記モバイル通信デバイスに関する位置の推定値を決定すること、
を具備する。
【請求項２】
前記測位フィルターはカルマンフィルターである請求項１の方法。
【請求項３】
前記第２の部分は３機未満の異なる参照基地局を含む請求項１の方法。
【請求項４】
前記第１の部分および前記第２の部分は３機未満の異なる参照基地局を含む請求項１の方法。
【請求項５】
前記第１の部分および前記第２の部分は共通の参照基地局を共有しない請求項１の方法。
【請求項６】
前記第１の部分および前記第２の部分は少なくとも１機の共通の参照基地局を共有する請求項１の方法。
【請求項７】
セルラー方式の通信ネットワークから前記モバイル通信デバイスについての初期の位置情報を受信すること、
をさらに具備する請求項２の方法。
【請求項８】
前記セルラー方式の通信ネットワークはＣＤＭＡネットワークを含む請求項７の方法。
【請求項９】
前記初期の位置情報はロケーションの値および不確実な値を含む請求項７の方法。
【請求項１０】
前記ロケーションの値のうちの少なくとも一部を用いて前記カルマンフィルターの状態ベクトルの一部を読み込むこと（populating）、
をさらに具備する請求項９の方法。
【請求項１１】
前記不確実な値のうちの少なくとも一部を用いて前記カルマンフィルターの共分散マトリックスの一部を読み込むこと（populating）、
をさらに具備する請求項９の方法。
【請求項１２】
前記第１の測量セットは全地球測位システムに関連付けられたシュードレンジング（pseudoranging）測量値を含む請求項１の方法。
【請求項１３】
前記位置の推定値はロケーションの値および不確実な値を含む請求項１の方法。
【請求項１４】
前記モバイル通信デバイス上で実行されているアプリケーションに対して前記位置の推定値を転送すること、
をさらに具備する請求項１の方法。
【請求項１５】
任意の複数の参照基地からの２次的な測量値を用いて測位フィルターの更新を続けること、
をさらに具備する請求項１の方法。
【請求項１６】
モバイル通信デバイスの位置を推定することに関する方法は、
近似の位置を伴う測位フィルターをシードすること；
複数のシュードレンジング（pseudoranging）ソースについての第１の部分からの第１の測量の出来事の間に取得された第１の測量セットを用いて前記測位フィルターを更新すること、
前記第１の部分は３機未満の異なるシュードレンジングソースを含み；
複数のシュードレンジングソースについての第２の部分からの第２の測量の出来事の間に取得された第２の測量セットを用いて前記測位フィルターを更新すること；および
前記更新された測位フィルターに基づいて前記モバイル通信デバイスに関する位置の推定値を決定すること、
を具備する。
【請求項１７】
前記複数のシュードレンジングソースは複数の地上波の無線ネットワーク基地局からなる請求項１６の方法。
【請求項１８】
前記複数のシュードレンジングソースは、複数の地上波の無線ネットワーク基地局、および複数の参照基地局の組み合わせからなる請求項１６の方法。
【請求項１９】
前記複数のシュードレンジングソースは衛星測位システムの複数の衛星からなる請求項１６の方法。
【請求項２０】
モバイル通信デバイスの位置を推定することに関する方法は、
ローカルな時計の時間を用いてタイムスタンプされた、参照基地局のセットからの複数のシュードレンジング（pseudoranging）測量値のセットを格納すること；
衛星輸送手段システムの時間とローカルな時計の時間との間の関係を後に確立すること；
前記格納されたシュードレンジング測量値のセットについての前記衛星輸送手段システムの時間を決定すること；および
前記モバイルデバイスについての前記位置を決定するために、前記格納されたシュードレンジング測量値のセット、およびその測量セットについての前記衛星輸送手段システムの時間を用いること、
を具備する。
【請求項２１】
モバイル通信デバイスの位置を推定することに関する方法は、
複数の参照基地局のセットからの複数のシュードレンジング（pseudoranging）測量値のセットを格納すること；
前記複数の参照基地局のセットに関する天体暦の情報を後に決定すること；および
前記モバイル通信デバイスについての前記位置を決定するために、前記格納されたシュードレンジング測量値のセット、および新しく決定された天体暦の情報を用いること、
を具備する。
【請求項２２】
モバイル通信デバイスは、
衛星測位システムに関係付けされた複数の信号を受信するために構成された第１のレシーバーと、
通信ネットワークに関係付けされた複数の信号を受信するために構成された第２のレシーバーと、
前記第１および第２のレシーバーとの通信におけるプロセッサーと、を具備し、
前記プロセッサーは、
前記衛星測位システムの複数の参照基地局についての第１の部分からの第１の測量の出来事の間に取得された第１のシュードレンジング（pseudoranging）測量値を用いて前記測位フィルターをシードするため、前記第１の部分は３機未満の異なる参照基地局を含む；
前記衛星測位システムの複数の参照基地局についての第２の部分からの第２の測量の出来事の間に取得された第２のシュードレンジング測量値を用いて前記測位フィルターを更新するため；および
前記更新された測位フィルターに基づいて前記モバイル通信デバイスに関する位置の推定値を決定するために、
構成されている。
【請求項２３】
前記測位フィルターはカルマンフィルターである請求項２２の装置。
【請求項２４】
前記第２の部分は３機未満の異なる参照基地局を含む請求項２２の装置。
【請求項２５】
前記第１の部分および前記第２の部分は３機未満の異なる参照基地局を含む請求項２２の装置。
【請求項２６】
前記第１の部分および前記第２の部分は共通の参照基地局を共有しない請求項２２の装置。
【請求項２７】
前記第１の部分および前記第２の部分は少なくとも１機の共通の参照基地局を共有する請求項２２の装置。
【請求項２８】
前記第１のレシーバーはさらに、前記モバイル通信ネットワークから前記モバイル通信デバイスについての初期の位置情報を受信するために構成されている請求項２２の装置。
【請求項２９】
前記通信ネットワークはＣＤＭＡネットワークを含む請求項２８の装置。
【請求項３０】
前記初期の位置情報はロケーションの値および不確実な値を含む請求項２８の装置。
【請求項３１】
前記プロセッサーはさらに、前記ロケーションの値および前記不確実な値のうちの少なくとも一つを用いて前記測位フィルターの共分散マトリックスの一部を読み込むために構成されている請求項３０の装置。
【請求項３２】
前記第１のシュードレンジング測量値は全地球測位システムに関連付けられている請求項２２の装置。
【請求項３３】
前記位置の推定値はロケーションの値および不確実な値を含む請求項２２の装置。
【請求項３４】
前記プロセッサーによって実行され、そして前記位置の推定値を受信するために構成されたアプリケーション、
をさらに具備する請求項２２の装置。
【請求項３５】
任意の複数の参照基地からの複数のシュードレンジング測量値を用いて前記測位フィルターの更新を続けること、
をさらに具備する請求項２２の装置。
【請求項３６】
モバイル通信デバイスの位置を推定することに関する方法は、
近似の位置を伴う測位フィルターをシードすること；および
複数の参照基地局の第１の部分からの第１の測量の出来事の間に取得された第１のシュードレンジング測量値を用いて該測位フィルターを更新すること、前記第１の部分は３機未満の異なる参照基地局を含む；
複数の参照基地局の第２の部分からの第２の測量の出来事の間に取得された第２のシュードレンジング測量値を用いて前記測位フィルターを更新すること；
前記更新された測位フィルターに基づいて前記モバイル通信デバイスに関する位置の推定値を決定すること；および
後方伝達、前記第１の部分および前記第２の部分に関する時間の決定を用いること、
を具備する。
【請求項３７】
前記測位フィルターはカルマンフィルターである請求項２６の方法。
【請求項３８】
モバイル通信デバイスの位置を推定することに関する方法を実行するためにモバイル通信デバイスの一つまたはそれ以上のプロセッサーによって実行され得る複数の命令についてのプログラムを組み込んでいるコンピューターに読み取り可能な記録媒体であって、
近似の位置を伴う測位フィルターをシードすることに関するプログラム命令と；
複数の参照基地局の第１の部分からの第１の測量の出来事の間に取得された第１のシュードレンジング測量値を用いて前記測位フィルターを更新することに関するプログラム命令と、前記第１の部分は３機未満の異なる参照基地局を含む；
複数の参照基地局の第２の部分からの第２の測量の出来事の間に取得された第２のシュードレンジング測量値を用いて前記測位フィルターを更新することに関するプログラム命令と；および
前記更新された測位フィルターに基づいて前記モバイル通信デバイスに関する位置の推定値を決定することに関するプログラム命令と；
を具備する。
【請求項３９】
後方伝達、前記第１の部分および前記第２の部分に関する時間の決定を用いることに関するプログラム命令をさらに具備する請求項３８のコンピューターに読み取り可能な記録媒体。
【請求項４０】
モバイル通信デバイスは、
衛星測位システムに関係付けされた複数の信号を受信するために構成された第１の受信手段と、
通信ネットワークに関係付けされた複数の信号を受信するために構成された第２の受信手段と、
前記第１および第２の受信器手段との通信における処理手段と、を具備し、
前記処理手段は、
近似の位置を用いて測位フィルターをシードするため；
前記衛星測位システムの複数の参照基地局についての第１の部分からの第１の測量の出来事の間に取得された第１のシュードレンジング（pseudoranging）測量値を用いて前記測位フィルターをシードするため、前記第１の部分は３機未満の異なる参照基地局を含む；
前記衛星測位システムの複数の参照基地局についての第２の部分からの第２の測量の出来事の間に取得された第２のシュードレンジング測量値を用いて前記測位フィルターを更新するため；および
前記更新された測位フィルターに基づいて前記モバイル通信デバイスに関する位置の推定値を決定するために、
構成されている。